(57)【要約】      （修正有）【課題】ゴルフクラブヘッドの反発係数を容易に調整可能として、２００８年以降のルールに適合したゴルフクラブヘッドと高反発のゴルフクラブヘッドとに使い分けでき、併せて調整前と調整後で重量バランスに影響がなく安定したスイングが可能なゴルフクラブを提供することを目的とする。【解決手段】シャフトと、当該シャフトの先端に取り付くゴルフクラブヘッドとを備えたゴルフクラブに於て、当該ゴルフクラブヘッドに、ボールを打球する打球面を形成するフェース部の裏面と当接状態または非当接状態とに切換え可能な反発係数切換え部材を設けたことを特徴とする。そして、反発係数切換え部材は、ゴルフクラブヘッドに着脱自在な線状部材と、当該線状部材の取付部位に着脱自在なウエイト部材とからなり、線状部材の一端がフェース部の裏面に当接することを特徴とする。【選択図】図３
2007007063.tif 000002
【特許請求の範囲】
【請求項１】
シャフトと、当該シャフトの先端に取り付くゴルフクラブヘッドとを備えたゴルフクラブに於て、
上記ゴルフクラブヘッドに、ボールを打球する打球面を形成するフェース部の裏面と当接状態または非当接状態とに切換え可能な反発係数切換え部材を設けたことを特徴とするゴルフクラブ。
【請求項２】
反発係数切換え部材は、ゴルフクラブヘッドに着脱自在な線状部材と、当該線状部材の取付部位に取付け交換可能なウエイト部材とからなり、当該線状部材の一端がフェース部の裏面に当接することを特徴とする請求項１に記載のゴルフクラブ。
【請求項３】
反発係数切換え部材は、ゴルフクラブヘッドに前後動可能に取り付く線状部材からなり、当該線状部材の前後動の移動で、その一端がフェース部の裏面に当接，離間することを特徴とする請求項１に記載のゴルフクラブ。
【請求項４】
反発係数切換え部材は、ゴルフクラブヘッドに軸着されたプレートからなり、当該プレートの回動操作で、その一端がフェース部の裏面に当接，離間することを特徴とする請求項１に記載のゴルフクラブ。
【請求項５】
反発係数切換え部材は、打球面の中央に対応するフェース部の裏面に当接することを特徴とする請求項１乃至請求項４のいずれか１項に記載のゴルフクラブ。
【請求項６】
反発係数切換え部材は、打球面の中央部に接する平面に対し鉛直方向に配置されていることを特徴とする請求項１乃至請求項５のいずれか１項に記載のゴルフクラブ。
【発明の詳細な説明】
【技術分野】
【０００１】
本発明はゴルフクラブに係り、詳しくはヘッドの反発係数を調整可能としたゴルフクラブに関する。
【背景技術】
【０００２】
従来からゴルフプレイヤーは打球の飛距離に関心が高く、ボールをより遠くへ飛ばせるゴルフクラブヘッドを好んでいる。
そして、反発性能に優れているゴルフクラブヘッド（以下、「ヘッド」という）は、ボールの打ち出し初速を高め、飛距離を増大することができる。
このため、近年、製造販売されている多くのゴルフクラブは、より大きな飛距離が得られるように反発係数の大きなヘッドを装着したものが多く、反発係数の大きなヘッドを装着したゴルフクラブがゴルフメーカの販売主力商品となっている。
【０００３】
従来周知のようにこの反発係数は、一般に全米ゴルフ協会（ＵＳＧＡ）のＰｒｏｃｅｄｕｒｅ  ｆｏｒ  Ｍｅａｓｕｒｅｉｎｇ  ｔｈｅ  Ｖｅｌｏｃｉｔｙ  Ｒａｔｉｏ  ｏｆ  ａ  Ｃｌｕｂ  Ｈｅａｄ  ｆｏｒ  Ｃｏｎｆｏｒｍａｎｃｅ  ｔｏ  Ｒｕｌｅ  ４−１ｅ，  Ｒｅｖｉｓｉｏｎ  ２（ｆｅｂｒｕａｒｙ  ８，１９９９）等に規定される方法に準拠して測定される。
【０００４】
ところが、ＵＳＧＡやイギリスのロイヤル・アンド・エイシェント・ゴルフ・クラブ・オブ・セント・アンド・リューズ（Ｒ＆Ａ）では、ヘッドの上限を規制するルールを検討しており、予定では２００８年１月より、反発係数の上限を０．８３０に規制することがアナウンスされている。
しかし乍ら、このルールが適用されると、今まで使用可能であったゴルフクラブはプライベート以外では使用できず、ルール違反となって公式の競技会で使用できなくなる不具合が生じ、また、ルール適合仕様は２００８年以降に使用できるものの、２００７年まではその必要がないにも拘わらず反発性能を抑えて飛びを制限してしまうため、飛距離が抑えられてスコアが上がらず、楽しさが減少してしまうこととなる。
【０００５】
一方、ゴルフメーカにとっても、ルールに適合するゴルフクラブと適合しないゴルフクラブの２種類を製造することは生産管理や在庫管理に手間を要し、コストが掛かってしまう問題があった。
そこで、斯かる実情に鑑み、特許文献１には、上述の如きルールに不適合なヘッドを回収して、当該ヘッドに実質的な変形ないし破壊を伴うことなく反発係数を低下させる反発係数調整処理を行い、これをゴルフプレイヤーに返却するヘッドのリサイクル方法が開示されている。
【０００６】
更に、特許文献２には、ボールを打撃するフェース面を形成するフェース壁部を備え、且つ内部に中空部を設けたウッドのヘッドに改良を加え、大きなヘッドスピードでボールを打撃したときに、フェース壁部の背面と当接する１以上の突起を上記中空部に設けたヘッドが開示されている。
また、既述した全米ゴルフ協会の反発係数の測定方法は複数の工程を必要とし、時間がかかる不具合があるとして、斯かる測定方法に代わるペンデュラムテストとその装置が特許文献３，４に開示されている。
【０００７】
このペンデュラムテストは、ヘッドを静止保持した後、材料塊（質量体）をヘッドのフェース部に自由落下し、これを衝突させてその柔軟性の相対的な度合いを判定するもので、既述した２００８年以降のルールに適合するには、このペンデュラムテストの測定値が２５０・１０-6秒未満であることが必要とされている。
【特許文献１】特開２００４−４９７３４号公報
【特許文献２】特開２００４−１４１２６７号公報
【特許文献３】特開２００４−２４９０８６公報
【特許文献４】特開２００４−２６７４３８公報
【発明の開示】
【発明が解決しようとする課題】
【０００８】
しかし乍ら、特許文献１に開示されたヘッドは、一旦反発係数調整処理を行ってしまうと高反発なヘッドでなくなるため、最早飛距離を楽しむことができなくなってしまう不具合がある。
一方、強打時に反発係数を抑制する特許文献２のヘッドは、材料塊を自由落下させる程度の衝撃ではフェース壁部が変形しないため、ペンデュラムテストではルールに適合しない虞があった。
【０００９】
本発明は斯かる実情に鑑み案出されたもので、ヘッドの反発係数を容易に調整可能として、２００８年以降のルールに適合したヘッドと高反発のヘッドとに使い分けでき、併せて調整前と調整後で重量バランスに影響がなく安定したスイングが可能なゴルフクラブを提供することを目的とする。
【課題を解決するための手段】
【００１０】
斯かる目的を達成するため、請求項１に係る発明は、シャフトと、当該シャフトの先端に取り付くヘッドとを備えたゴルフクラブに於て、上記ヘッドに、ボールを打球する打球面を形成するフェース部の裏面と当接状態または非当接状態とに切換え可能な反発係数切換え部材を設けたことを特徴とする。
そして、請求項２に係る発明は、請求項１に記載のゴルフクラブに於て、反発係数切換え部材は、ヘッドに着脱自在な線状部材と、当該線状部材の取付部位に取付け交換可能なウエイト部材とからなり、当該線状部材の一端がフェース部の裏面に当接することを特徴とし、請求項３に係る発明は、請求項１に記載のゴルフクラブに於て、反発係数切換え部材は、ヘッドに前後動可能に取り付く線状部材からなり、当該線状部材の前後動の移動で、その一端がフェース部の裏面に当接，離間することを特徴とする。
【００１１】
更に、請求項４に係る発明は、請求項１に記載のゴルフクラブに於て、反発係数切換え部材は、ヘッドに軸着されたプレートからなり、当該プレートの回動操作で、その一端がフェース部の裏面に当接，離間することを特徴とする。
また、請求項５に係る発明は、請求項１乃至請求項４のいずれか１項に記載のゴルフクラブに於て、反発係数切換え部材は、打球面の中央に対応するフェース部の裏面に当接することを特徴とし、請求項６に係る発明は、請求項１乃至請求項５のいずれか１項に記載のゴルフクラブに於て、反発係数切換え部材は、打球面の中央部に接する平面に対し鉛直方向に配置されていることを特徴としている。
【発明の効果】
【００１２】
各請求項に係る発明によれば、反発係数切換え部材によりヘッドの反発係数を容易に調整可能として、２００８年以降のルールに適合したヘッドと高反発のヘッドとに使い分けすることができるので、ルールに適合した仕様により公式の競技会で使用でき、また、プライベートな使用では飛びを制限することなく飛距離を楽しむことが可能となる。
また、ゴルフメーカにとっても、ルールに適合するゴルフクラブと適合しないゴルフクラブの２種類を製造する必要がないため、面倒な生産管理や在庫管理が不要となってコストが掛かることがない。
【００１３】
そして、請求項５及び請求項６に係る発明によれば、反発係数切換え部材によって、打球時のヘッドの撓みを効率よく低減させることができる。
【発明を実施するための最良の形態】
【００１４】
以下、本発明の実施形態を図面に基づいて詳細に説明する。
図１乃至図６は請求項１，請求項２，請求項５及び請求項６の発明をウッド（ドライバー）のゴルフクラブに適用した第一実施形態を示し、繊維強化樹脂または金属で形成されたシャフト１の先端にヘッド３が取り付き、シャフト１の後端側にグリップ５が取り付いて本実施形態に係るゴルフクラブ７が形成されている。そして、周知のようにゴルフクラブ７のライ角αは、ヘッド３が接する水平基準面Ｌとシャフト軸線Ｐとで設定される。
【００１５】
図２に示すようにヘッド３は、フェース側開口部１１を除き、クラウン部１３やフェース部１５，サイド部１７，ソール部１９がチタンやチタン合金で一体に鋳造された中空な外殻体からなるヘッド本体２１と、フェース側開口部１１に取り付くフェースプレート２３で構成されており、フェースプレート２３は、フェース側開口部１１の形状に沿ってステンレス合金やチタン合金等の金属材料を塑性加工（圧延やプレス成形）して形成されている。
【００１６】
そして、ヘッド本体２１のフェース部１５とフェースプレート２３とによって、ヘッド３の打球面として機能するフェース部９が構成されており、ヘッド３はトップ，ソール方向に比べトゥ，ヒール方向が長い、扁平で高さが低く幅広な形状となっている。
尚、本実施形態に係るヘッド３は、図２及び図３に示すトップエッジ２５とリーディングエッジ２７によって、フェース部９がクラウン部１３やサイド部１７，ソール部１９と区画されると共に、図３及び図５に示すエッジ２９によってサイド部１７とソール部１９が区画され、更にトップエッジ２５に連なるエッジ３１によってサイド部１７とクラウン部１３が区画されているが、エッジとは所謂「境目」で、例えばソール部外表面のＲとサイド部外表面のＲより小さいＲでソール部とサイド部が繋がる中央部をいい、通常、稜線が視認可能である。
【００１７】
そして、図２及び図４に示すようにヘッド本体２１のヒール側に、クラウン部１３からソール部１９に亘ってシャフト止着孔３３が貫通する筒状のシャフト止着部３５が、ヒール壁３７とフェース部９との間に間隙を開けてヘッド本体２１に一体成形されており、シャフト止着部３５は、ヘッド本体２１の上方へ突出してホーゼル部３９を形成している。そして、上記シャフト止着孔３３にシャフト１がエポキシ樹脂等の接着剤で挿着されている。
【００１８】
而して、本実施形態に係るゴルフクラブ７は、上述の如き従来と同様の構成に加え、ヘッド３に、フェース部９の裏面と当接状態または非当接状態とに切換え可能な反発係数切換え部材４１を設けたことを特徴とする。
即ち、図３乃至図６に於て、４３はヘッドの仕様に応じて異なるが、一例として低比重なチタン合金で形成された太さ１．０〜５．０ｍｍからなる軽量な棒状の線状部材で、その先端に当該線状部材４３よりやや大径な球状部４５が一体に形成され、線状部材４３の後端は円筒状の螺子４７に挿着されている。
【００１９】
尚、線状部材４３の太さは、１．０ｍｍ未満では強度上、変形してしまい、また、５．０ｍｍを超えると、重量が大きくなり過ぎてヘッド重量や重量バランスが変化し過ぎてしまう。
一方、フェース部９に対向するサイド部１７に、上記螺子４７が螺着可能に貫通孔４８の内周が螺刻された筒状の取付部４９がフェース部９の裏面方向へ突設されると共に、ヘッド３の打球面の中央に対応するフェース部９の裏面に、上記球状部４５が嵌合当接可能な円弧状の凹部５１が設けられており、図３乃至図５に示すように取付部４９の貫通孔４８に線状部材４３を球状部４５側から挿入して螺子４７を取付部４９に完全に螺着すると、球状部４５が凹部５１に嵌合当接して、線状部材４３が打球面の中央部に接する平面Ｑに対し鉛直方向に配置されると共に、シャフト軸線Ｐを含む水平基準面Ｌの鉛直面Ｓに対し９０°の角度で配置されるようになっている。
【００２０】
尚、本明細書に於て、「打球面の中央部」とは次のように定義する。
即ち、図示しないがこの種のヘッドには、打球の目安としてスコアラインがフェース部に設けられている。そこで、「打球面の中央部」とは、スコアラインが設けられた領域のトゥ，ヒール方向及びトップ，ソール方向の中央をいう。
而して、斯様に螺子４７を取付部４９に螺着して線状部材４３の球状部４５がフェース部９裏面の凹部５１に嵌合当接すると、線状部材４３により打球時のヘッド３（フェース部９）の撓みが規制され、この結果、反発係数が未装着時に比し低下して２００８年以降のルールに適合するようになっている。
【００２１】
また、図６に於て、５３は上記螺子４７と同一形状からなるウエイト部材（螺子）で、上記線状部材４３に代えてこのウエイト部材５３を取付部４９に取り付けることで、取付部４９の貫通孔４８が閉塞されると共に、ヘッド３（フェース部９）の撓みに対する規制が解除できるようになっている。
そして、図３乃至図５に示すように前記螺子４７やウエイト部材５３は、夫々、ヘッド３のバック側で各々の頭部表面５５，５７が外部に露出するが、頭部表面５５，５７の色や形状等のデザインを変えることで、線状部材４３とウエイト部材５３のどちらを装着しているかの識別ができるようになっている。
【００２２】
このように本実施形態の反発係数切換え部材４１は、上記線状部材４３とウエイト部材５３とで構成されている。
尚、本実施形態では、線状部材４３をチタン合金で形成したが、線状部材を高比重材料で形成すると、ヘッド３の重心に大きな影響を与えてしまうため好ましくない。
つまり、比重が小さく、且つ打球時の変形に対する強度の高い（弾性限度の高い）材料が好ましい。例えば、チタン合金の中ではβ型チタン合金、また、弾性限度の高い「ゴムメタル（登録商標）」等が特に好ましい。
【００２３】
また、線状部材４３による調整前と調整後で重量バランスに影響がなく安定したスイングが可能となるように、線状部材４３と螺子４７の合計重量をウエイト部材５３の重量と略同一にすることが好ましい。
更に、本実施形態では、線状部材４３の先端に球状部４５を一体成形したが、球状部を別体で形成して線状部材の先端に取り付けてもよく、線状部材の先端はＲ形状が好ましい。
別体の場合、この球状部はアルミ，アルミ合金，マグネシウム合金等、線状部材よりも低比重材料が、重量バランス上、好ましい。
【００２４】
更にまた、円弧状の凹部５１に代え、球状部４５が当接する部位の周辺を凸状に形成してもよく、これら凹部５１等によって球状部４５の位置決めが容易になっている。
本実施形態に係るゴルフクラブ７はこのように構成されているから、その使用に当たり、図３乃至図５に示すように取付部４９の貫通孔４８に線状部材４３を球状部４５側から挿入して螺子４７を取付部４９に完全に螺着すると、球状部４５が位置ズレすることなく凹部５１に嵌合当接し、また、線状部材４３が打球面の中央部に接する平面Ｑに対し鉛直方向に配置されると共に、シャフト軸線Ｐを含む水平基準面Ｌの鉛直面Ｓに対し９０°の角度で配置されるため、打球時のヘッド３（フェース部９）の撓みが線状部材４３によって効率よく低減されて反発係数が低下し、ヘッド３が２００８年以降のルールに適合した仕様となる。
【００２５】
また、図６に示すように線状部材４３に代えてウエイト部材５３を取付部４９に取り付ければ、取付部４９の貫通孔４８が閉塞されると共に、ヘッド３（フェース部９）の撓みに対する規制が解除されるため、高反発なヘッド３となって飛距離を楽しむことができる。
この場合に於て、スイートスポットの位置が殆ど変化しないので、プレイヤーは打ち方を変える必要がなくなるメリットを有する。
【００２６】
そして、このとき、打球面中央の裏面側に凹部５１が形成されていることも相俟って、フェース部９は撓み易く高反発となる。
このように本実施形態は、反発係数切換え部材４１（線状部材４３とウエイト部材５３）によりヘッド３の反発係数を容易に調整可能として、２００８年以降のルールに適合したヘッド３と高反発のヘッド３とに使い分けできるので、ルールに適合した仕様により公式の競技会で使用でき、また、プライベートな使用では飛びを制限することなく飛距離を楽しむことが可能となった。
【００２７】
而も、本実施形態によれば、線状部材４３と螺子４７の合計重量をウエイト部材５３の重量と略同一にしているため、線状部材４３による反発係数の調整前と調整後で重量バランスに影響がなく、安定したスイングが可能になると共に、ヘッド３のバック側で外部に露出する螺子４７やウエイト部材５３の頭部表面５５，５７の色や形状等のデザインを変えているため、線状部材４３とウエイト部材５３のどちらを装着しているかの識別も極めて容易である利点を有する。
【００２８】
また、ゴルフメーカにとっても、ルールに適合するゴルフクラブと適合しないゴルフクラブの２種類を製造する必要がないため、面倒な生産管理や在庫管理が不要となってコストが掛かることがない。
尚、上記実施形態は、請求項１，請求項２，請求項５及び請求項６の発明をドライバーに適用したが、図７に示すフェアウェイウッドや図８のアイアンゴルフクラブのヘッドにも適用可能である。
【００２９】
即ち、図７は請求項１，請求項２，請求項５及び請求項６の発明をフェアウェイウッドに適用した第二実施形態で、前記ヘッド３（ドライバー）に比しフェアウェイウッド５９のヘッド６１はトップ，ソール方向の高さが低いため、図３の如き取付部４９をヘッド６１のサイド部６３に設けてしまうと、線状部材４３先端の球状部４５を打球面の中央に対応するフェース部６５の裏面に当接させることができない。
【００３０】
そこで、本実施形態は、ヘッド６１のソール部６７に、螺子４７が螺着可能に貫通孔６９の内周が螺刻された筒状の取付部７１をフェース部６５の裏面方向へ斜めに突設すると共に、ヘッド６１の打球面の中央に対応するフェース部６５の裏面に、上記球状部４５が嵌合当接可能な円弧状の凹部７３を設けたものである。
そして、図１の実施形態と同様、取付部７１の貫通孔６９に線状部材４３を球状部４５側から挿入して螺子４７を取付部７１に完全に螺着すると、球状部４５が凹部７３に嵌合当接して、線状部材４３が打球面の中央部に接する平面に対し鉛直方向に配置されると共に、シャフト軸線を含む水平基準面Ｌの鉛直面に対し９０°の角度で配置されるようになっている。
【００３１】
また、線状部材４３に代えて既述したウエイト部材５３を取付部７１に取り付ければ、取付部７１の貫通孔６９が閉塞されると共に、ヘッド６１（フェース部６５）の撓みに対する規制が解除されるようになっている。
このように本実施形態も、反発係数切換え部材４１（線状部材４３とウエイト部材５３）によってヘッド６１の反発係数を調整可能としたため、２００８年以降のルールに適合したヘッド６１と高反発のヘッド６１とに使い分けできると共に、線状部材４３による反発係数の調整前と調整後で重量バランスに影響がなく、安定したスイングが可能となる。
【００３２】
図８は請求項１，請求項２及び請求項６の発明をアイアンゴルフクラブのヘッドに適用した一実施形態で、図中、７５はホーゼル部７７やソール部７９，フェース部８１等がステンレスや軟鉄等で一体に鋳造されたヘッド本体で、打球時の慣性モーメントを大きくするため、ヘッド本体７５のバック部８３側には、ヘッド本体７５の周縁部８５を残してキャビティ８７が設けられており、斯かる構成によりヘッド本体７５の重量が周縁部８５に分散されて、打球の方向性が安定するようになっている。
【００３３】
而して、上記キャビティ８７は、ヘッド本体７５のフェース部８１からバック部８３に亘って貫通孔（開口部）８９を設けて、当該貫通孔８９のフェース側周縁部に設けた嵌着凹部９１に、ヘッド本体７５より比重の軽いチタンやチタン合金で均一な厚みに鍛造されたフェースプレート９３を嵌着して形成されており、フェースプレート９３はヘッド本体７５のフェース部８１と共にヘッド９５のフェース部９７を構成する。
【００３４】
そして、本実施形態は、ヘッド本体７５のバック部８３に、螺子４７が螺着可能に貫通孔９９の内周が螺刻された筒状の取付部１０１をフェース部９７の裏面方向へ斜めに設けると共に、フェース部９７の裏面に、線状部材４３先端の球状部４５が嵌合当接可能な円弧状の凹部１０３を設けたものである。そして、本実施形態に於ても、上記貫通孔９９に線状部材４３を球状部４５側から挿入して螺子４７を取付部１０１に完全に螺着すると、球状部４５が凹部１０３に嵌合当接して、線状部材４３がフェースプレート９３に対し鉛直方向に配置されると共に、シャフト軸線を含む水平基準面Ｌの鉛直面に対し９０°の角度で配置されるようになっている。
【００３５】
また、線状部材４３に代えて既述したウエイト部材５３を取付部１０１に取り付ければ、取付部１０１の貫通孔９９が閉塞されると共に、ヘッド９５（フェース部９７）の撓みに対する規制が解除されるようになっている。
このように本実施形態も、反発係数切換え部材４１（線状部材４３とウエイト部材５３）によってヘッド９５の反発係数を調整可能としたため、既述した各実施形態と同様、所期の目的を達成することが可能である。
【００３６】
尚、上述した各実施形態では、線状部材４３とウエイト部材５３を交換して反発係数を調整するように構成したが、例えば図３のヘッド３に於て、線状部材４３の螺子４７の締付け操作で螺子４７を取付部４９に対し前後動させて、線状部材４３先端の球状部４５をフェース部９の裏面に当接，離間させることでヘッド３（フェース部９）の反発係数を調整させるようにしてもよい。
【００３７】
而して、この請求項３の一実施形態によっても、既述した各実施形態と同様、所期の目的を達成することが可能となる。
図９乃至図１１は請求項１及び請求項４に係る発明をウッド（ドライバー）のゴルフクラブに適用したもので、以下、本実施形態を図面に基づき説明するが、図１の実施形態と同一のものには同一符号を付してそれらの構造説明は省略する。
【００３８】
図９に於て、１０５はヘッド本体２１-1の内方へ向けてソール部１９に突設した筒状の回転支持部で、当該回転支持部１０５は、ソール部１９に開口する平面視円形状の大径部１０７と、ヘッド本体２１-1内に突出する平面視円形状の小径部１０９とで構成されている。
そして、回転支持部１０５内に、その内周形状に沿って形状された樹脂製の支軸１１１が回転操作可能に挿入されており、当該支軸１１１の挿入側先端に、反発係数切換え部材としての樹脂製のプレート１１３がソール部１９に沿ってピン１１５で固着されている。
【００３９】
図示するようにプレート１１３は、一端側が上記ピン１１５で支軸１１１に固着されているが、他端側には幅広なアール状に形成された当接部１１７が設けられている。
そして、図１１に示すようにソール部１９に露出する支軸１１１の操作面１１９に、プレート１１３の取付方向に沿って平面視矢印形状の目印１２１が凹状に設けられており、当該目印１２１に例えばコインを係止して支軸１１１を回転させると、図１０に示すようにプレート１１３が矢印方向に回転するようになっている。そして、この回転に伴い、プレート１１３の当接部１１７が、フェース部９の裏面に当接，離間するようになっており、図１１の如く目印１２１の矢印がフェース部９方向に向かったとき、当接部１１７がフェース部９の裏面に当接する。
【００４０】
また、図１１に示すようにプレート１１３（支軸１１１）の位置決めとして、支軸１１１の操作面１１９の外周に、上記目印１２１に沿って１個の位置決め凸部１２３が外方へ突設されると共に、大径部１０７の内周に当該位置決め凸部１２３が係脱する位置決め凹部１２５，１２７が、ヘッド３-1のトゥ，ヒール方向に沿って前後に設けられており、位置決め凸部１２３が前側の位置決め凹部１２５に係合すると、図９及び図１０の実線で示すように、プレート１１３の当接部１１７がフェース部９の裏面に当接して位置決めされるようになっている。
【００４１】
そして、位置決め凸部１２３が後方の位置決め凹部１２７に係合すると、図９及び図１０の二点鎖線で示すように、当接部１１７がフェース部９の裏面から離間してヘッド３-1の後方に向かった状態で、位置決めされるようになっている。
本実施形態に係るゴルフクラブ７-1はこのように構成されているから、支軸１１１の操作面１１９に設けた目印１２１を目安に支軸１１１を回転させて、位置決め凸部１２３を位置決め凹部１２５に係合させると、図９及び図１０の実線で示すように、プレート１１３の当接部１１７がフェース部９の裏面に当接するため、打球時のヘッド３-1（フェース部９）の撓みがプレート１１３で低減されて反発係数が低下し、ヘッド３-1が２００８年以降のルールに適合した仕様となる。
【００４２】
また、支軸１１１を回転させて、位置決め凸部１２３を位置決め凹部１２７に係合させると、図９及び図１０の二点鎖線で示すようにフェース部９の裏面に当接していたプレート１１３がフェース部９から離間して位置決めされ、この結果、ヘッド３-1（フェース部９）の撓みに対する規制が解除されるため、高反発なヘッド３-1となって飛距離を楽しむことができる。
【００４３】
このように本実施形態は、反発係数切換え部材として機能するプレート１１３によりヘッド３-1の反発係数を容易に調整可能として、２００８年以降のルールに適合したヘッド３-1と高反発のヘッド３-1とに使い分けできるので、本実施形態によっても、ルールに適合した仕様により公式の競技会で使用でき、また、プライベートな使用では飛びを制限することなく飛距離を楽しむことが可能である。
【００４４】
而も、本実施形態によれば、図９及び図１０の二点鎖線で示すようにフェース部９の裏面に当接していたプレート１１３をフェース部９から離間して位置決めすると、プレート１１３がフェース部９の裏面に当接していた状態でのヘッド３-1の重心Ｇ1が後方（図９中、Ｇ２）へ移動するため、ボールの打出し角が高くなって飛距離が更に向上する利点を有する。
【図面の簡単な説明】
【００４５】
【図１】請求項１，請求項２，請求項５及び請求項６の第一実施形態に係るウッドのゴルフクラブの正面図である。
【図２】ヘッドの正面図である。
【図３】図２のIII−III線断面図である。
【図４】図３のIV−IV線断面図である。
【図５】ヘッドの背面図である。
【図６】ヘッドの断面図である。
【図７】請求項１，請求項２，請求項５及び請求項６の第二実施形態に係るフェアウェイウッドのヘッドの断面図である。
【図８】請求項１，請求項２及び請求項６の一実施形態に係るアイアンゴルフクラブのヘッドの断面図である。
【図９】請求項１及び請求項４の一実施形態に係るウッドのヘッドの断面図である。
【図１０】図９のＸ−Ｘ線断面図である。
【図１１】ヘッドの底面図である。
【符号の説明】
【００４６】
１  シャフト
３，３-1，６１，９５  ヘッド
７，７-1  ゴルフクラブ
９，６５，９７  フェース部
１３  シャフト挿通孔
１７，６３  サイド部
１９，６７，７９  ソール部
２１，２１-1，７５  ヘッド本体
４１  反発係数切換え部材
４３  線状部材
４５  球状部
４７  螺子
４８  貫通孔
４９，７１，１０１  取付部
５１，７３，１０３  凹部
５３  ウエイト部材
５５，５７  頭部表面
５９  フェアウェイウッド
８３  バック部
８７  キャビティ
１０５  回転支持部
１０７  大径部
１０９  小径部１０９とで構成されている。
１１１  支軸
１１３  プレート
１１７  当接部
１１９  操作面
１２１  目印
１２３  位置決め凸部
１２５，１２７  位置決め凹部
【図１】
2007007063.tif 000003
【図２】
2007007063.tif 000004
【図３】
2007007063.tif 000005
【図４】
2007007063.tif 000006
【図５】
2007007063.tif 000007
【図６】
2007007063.tif 000008
【図７】
2007007063.tif 000009
【図８】
2007007063.tif 000010
【図９】
2007007063.tif 000011
【図１０】
2007007063.tif 000012
【図１１】
2007007063.tif 000013